(57)【要約】【課題】マイナスイオンを大量発生させることができるマイナスイオンの発生装置及び方法を提供する。【解決手段】本発明のマイナスイオン発生装置は、複数本の導線が同一平面上で相互に所定間隔をおいて並び、前記各導線の先端を放電端部とする導線群と、前記導線群に電気的に接続され、前記導線の各放電端部から電子を放出させるよう高電圧を生成する電源回路とからなるように構成してなる。  前記導線群は好ましくは、両側より平面被覆層によって挟まれるように２被覆層間に設けられる。当該被覆層は、設置箇所、目的に応じて絶縁性、防水性、透湿性を有する材料により形成される。【選択図】図１
2006278314.tif 000002
【特許請求の範囲】
【請求項１】
複数本の導線が同一平面上で相互に所定間隔をおいて並び、前記各導線の先端を放電端部とする導線群と、
前記導線群に電気的に接続され、前記導線の各放電端部から電子を放出させるよう高電圧を生成する電源回路とからなることを特徴とするマイナスイオン発生装置。
【請求項２】
前記導線群は、前記複数本の導線が同一平面上で互いに交差して織り成された網目体であることを特徴とする、請求項１に記載のマイナスイオン発生装置。
【請求項３】
前記網目体は、その網目体の一部を切り抜いて形成される複数の開口を備え、その各々の開口に臨む前記導線群の各端部が前記放電端部とされることを特徴とする、請求項２に記載のマイナスイオン発生装置。
【請求項４】
少なくとも一つの前記開口は、幾何学的形状であることを特徴とすることを特徴とする、請求項３に記載のマイナスイオン発生装置。
【請求項５】
前記導線群は、前記複数本の導線の各一端部が一箇所に集束されていて前記電源回路に接続され、前記複数本の導線の各他端部が前記放電端部として同一平面上で互いに隣接して扇形の放射状に配置されていることを特徴とする、請求項１に記載のマイナスイオン発生装置。
【請求項６】
前記導線群は、前記複数本の導線の各一端部が円心部となるよう集束されていて前記電源回路に接続され、前記複数本の導線の他端部が前記放電端部として同一平面上で前記円心部の四方に放射状に配列されることを特徴とする、請求項１に記載のマイナスイオン発生装置。
【請求項７】
前記導線は、カーボン繊維または銅線の導電材料より形成されることを特徴とする、請求項１に記載のマイナスイオン発生装置。
【請求項８】
前記導線群はさらに、両側より一対の平面被覆層により挟まれるようにその両被覆層間に設けられ、当該被覆層は、絶縁性、防水性、透湿性を有していることを特徴とする、請求項１に記載のマイナスイオン発生装置。
【請求項９】
さらに、防火材により形成された表面部と、金属材により形成されて前記表面部両端と連続する底面部とで隙間を画成してなる被覆層を含み、
前記導線群は、前記被覆層の前記隙間内において、前記底面部と距離をあけて前記表面部と接するように設けられていることを特徴とする、請求項１に記載のマイナスイオン発生装置。
【請求項１０】
さらに、防火材により形成された表面部と、金属材により形成されて前記表面部両端と連続する底面部とで隙間を画成してなる被覆層を含み、
前記導線群は、前記被覆層内に隙間なく充満されるように形成されていることを特徴とする、請求項１に記載のマイナスイオン発生装置。
【請求項１１】
前記導線群のそれぞれの導線は、線材を多数撚り合わせた撚線であることを特徴とする、請求項１に記載のマイナスイオン発生装置。
【請求項１２】
各々の先端が放電端部とされる導線群を同一平面上に並べ、
高電圧を生成するための電源回路を、前記導線群に電気的に接続し、前記電源回路からの高電圧を前記導線群に印加して前記導線群の各放電端部から電子を放出させることを特徴とする、マイナスイオン発生方法。
【請求項１３】
前記導線群を並べるステップにおいては、前記導線群を一対の平面状被覆層の間に挟むようにすることを特徴とする、請求項１２に記載のマイナスイオン発生方法。
【請求項１４】
前記導線群を並べるステップにおいて、前記導線群を、その導線群の各導線を織り成して複数の網目を有するように一対の被覆層間に挟むことを特徴とする、請求項１２に記載のマイナスイオン発生方法。
【請求項１５】
前記導線群を並べるステップの後、前記電源回路に電気的に接続するステップの前には、前記網目体に複数の開口を形成するステップを有し、前記各開口に臨む前記導線群の各端部を前記放電端部とすることを特徴とする、請求項１４に記載のマイナスイオン発生方法。
【請求項１６】
前記開口を形成するステップにおいて、前記開口が幾何学的形状に形成されることを特徴とすることを特徴とする、請求項１５に記載のマイナスイオン発生方法。
【請求項１７】
前記導線群を並べるステップにおいては、前記導線群は、前記電源回路に接続されるよう複数本の導線の各一端部が集束され、それら導線の各他端部が放電端部として互いに隣接して扇形の放射状に配列されることを特徴とする、請求項１２に記載のマイナスイオン発生方法。
【請求項１８】
前記導線群を並べるステップにおいては、前記導線群は、前記電源回路に接続されるよう複数本の導線の各一端部が円心部となるよう集束され、それら導線の各他端部が放電端部として互いに隣接させながら前記円心部の四方へ放射状に配列されることを特徴とする、請求項１２に記載のマイナスイオン発生方法。
【発明の詳細な説明】
【技術分野】
【０００１】
本発明は、マイナスイオンの発生装置及び発生方法に関する。
【背景技術】
【０００２】
従来から、マイナスイオンは安眠や、精神安定、自律神経調整、血液の浄化などの効果が得られるといわれ、マイナスイオン発生装置が注目されている。図９に従来のマイナスイオン発生装置の制御系を示す。電源に接続しているトリガー回路１１１、トランス１１２、昇圧整流回路１１３からなる電源回路１１によって生成された直流高電圧が、電源回路１１の出力端１１０に設けられた例えば金属針１２に印加し、針先端部から放電させることにより、マイナスイオンを発生させるものである。このマイナスイオン発生装置では、針１２の先端からの放電によりマイナスイオンを発生するため、マイナスイオンの発生量はさほど多くはない。
【０００３】
また図１０に他のマイナスイオン発生装置の構成例を示す。この例では、ケース１０内にホース１３１で多数のカーボンファイバー１３２を束にした端子１３を上下一列に設けることにより、マイナスイオンをより大量に発生するようにしたが、カーボンファイバー束の先端だけにマイナスイオンを発生するため、マイナスイオンの発生量も限られる。
【発明の開示】
【発明が解決しようとする課題】
【０００４】
本発明は、上記の問題点を解消するためになされたものであり、マイナスイオンを大量発生させることができるマイナスイオンの発生装置及び方法を提供することを目的とする。
【課題を解決するための手段】
【０００５】
上記目的を達成すべく、本発明の一観点によれば、本発明のマイナスイオン発生装置は、複数本の導線が同一平面に所定間隔をおいて並び、前記各導線の先端を放電端部とする導線群と、前記導線群に電気的に接続され、前記導線の各放電端部に印加し電子を放出させるよう高電圧を生成する電源回路とからなるように構成してなる。
【０００６】
前記導線群は好ましくは、両側より平面被覆層によって挟まれるように２被覆層間に設けられる。当該被覆層は、設置箇所、目的に応じて絶縁性、防水性、透湿性を有する材料により形成されることができる。
【０００７】
また、本発明の他の観点によれば、本発明のマイナスイオン発生方法は、それぞれ先端が放電端部となる導線群を、同一平面に並べて配置し、高電圧を生成するための電源回路を前記導線群に電気的に接続し、前記電源回路からの高電圧を前記導線群の各放電端部に印加して電子を放出させるような構成とする。
【発明の効果】
【０００８】
本発明によれば、放電端部を多く増やし、マイナスイオンを大量発生させることができる。また、平面状に形成されることにより、絨毯やエアクリーナー、シーツなど様々な民生用品に幅広く仕込んで用いることができる。
【発明を実施するための最良の形態】
【０００９】
この発明の上記その他の目的と特徴は以下の説明を添付図面とあわせて参照することによって明らかとなろう。
【００１０】
図１は、本発明にかかる第１実施例のマイナスイオン発生装置１を概略示す平面図で、図２は、同装置を概略示す断面図である。
【００１１】
マイナスイオン発生装置１は、図１に示すように、導線群３と電源回路２を含む。導線群３は、例えば正方形をなす一対の被覆層４、４の層間４１に、縦方向に各々直線状に延び互いに間隔をおいて並列する複数本の導線と、横方向に各々直線状に延び互いに間隔をおいて並列する複数本の導線とよりなる導線群３が同一平面上において互いに交差して格子状に織り成され、導線群３の各導線の両端は、放電端部３２、３２、・・・とされる。当該被覆層４は、好ましくは防水、透湿性を有する例えばＧＯＲＥ−ＴＥＸなどの絶縁体材料により形成される。
【００１２】
電源回路２は、公知の高電圧生成制御系を用いることができ、被覆層４に適当に設けた穴（図示せず）に通したケーブル２１を介して導線群３に電気的に接続されていて、導線群３の各放電端部３２、３２、・・・より電子を放出させるよう高電圧を印加する。
【００１３】
この例においては、導線群としては、図１に示されているように、縦方向に延びる複数本の導線と横方向に延びる複数本の導線とが同一平面に交差して格子状に織り成された網目体３に形成されている。当該網目体３には、その一部を任意に切り抜いて複数の円形状や、長条形状、クロス形状などの幾何学的形状の開口３１、３１、・・・が形成され、各開口３１に臨ませた導線群３の各端部は、放電端部３２とすることができ、このような開口３１の特設により、放電できる端部の数を増やすことができる。したがって、電源回路２により高電圧が生成されて導線群３に印加され、各放電端部３２よりマイナスイオンを大量生成させることができる。
【００１４】
図３は、第２の実施例のマイナスイオン発生装置１Ａを概略示す平面図である。この例においては、前記第１の実施例と違って、導線群５は、各導線の一端部５１、５１、・・・が一箇所に集束されていて電源回路２に接続され、各他端部５２が放電端部として互いに隣接して扇形の放射状に配置されている。各他端部５２、５２、・・・は、この例においては、電気伝導可能である例えばＵＶ硬化型接着剤６により、互いに重なり合わせた一対の平面被覆層４、４の間に挟持、固定されている。
【００１５】
図４は、第３の実施例のマイナスイオン発生装置１Ｂを概略示す平面図である。この例においては、前記第２の実施例と違って、導線群５は、それぞれの一端部が円心部となるよう集束していて電源回路２に接続され、それぞれの他端部が放電端部として前記円心部の四方へ互いに所定の間隔をおいて放射状に配列される円板体に形成され、その導線群５は、前記第２の実施例と同様にして、互いに重なり合わせた一対の平面被覆層４、４の間に挟持、固定されている。
【００１６】
なお、上記の各実施例では、導線群３または５の各導線は、カーボン繊維または銅線の導電材料より形成されればよく、また、第２、３の実施例では、導線群５のそれぞれの導線は、単一の線材を複数撚り合わせた撚線であってもよい。なお、各導線としては、実際では、なるべく相互の隙間を小さくして緻密に配置されるが、各図では相互の隙間を拡大して示している。
【００１７】
上記の各実施例の構成によれば、マイナスイオン発生装置（１、１Ａ、１Ｂ）は平面状に形成されることができ、そして第２、３の実施例における導線群（５）のそれぞれの導線は、線材を多数撚り合わせた場合、放電端部の数を多く増やすことができ、マイナスイオンを大量に発生させることができる。
【００１８】
図５は、本発明の第４の実施例のマイナスイオン発生装置の概略示す断面図である。この例においては、前記各例と違って、被覆層７は絶縁体ではなく、防火材料によりつくられる。被覆層７は、防火材により形成された表面部７１と、金属材により網状に形成されて表面部７１両端と連続する底面部７２とで隙間７０１を画成してなる。
【００１９】
導線群３は、被覆層７の隙間７０１内において底面部７２と距離をあけて表面部７１と接するように設けられている。尚、この例では、前記実施例と同様の電源回路２が、底面部７２の網目あるいは底面部７２に適当に設けた穴（図示せず）に通したケーブルを介して、導線群３に電気的に接続されている。
【００２０】
図６は、本発明の第５の実施例のマイナスイオン発生装置を概略示す断面図である。この例においては、前記第４の実施例と違って、導線群３は、被覆層７内に隙間なく充満されるように設けられている。
【００２１】
本発明の第４、５の実施例によれば、上記効果を得るほか、防火の機能を必要とする場所でも用いられることができる。
【００２２】
次に、本発明のマイナスイオン発生方法について説明する。
【００２３】
図７は、本発明にかかるマイナスイオン発生方法を概略示すフローチャートである。
【００２４】
公知の制御系をそなえた高電圧電源回路２を用意する（ステップＳ１０１）。
【００２５】
そして、それぞれ先端３２が放電端部とする複数本の導線からなる導線群３を、同一平面上に並ぶように交差に織る（ステップＳ１０２）。
【００２６】
次いで、高電圧電源回路２を、導線群３に電気的に接続し、電源回路２からの高電圧を印加して各放電端部に電子を放出させる（ステップＳ１０４）。
【００２７】
ステップＳ１０２においては、導線群３は、好ましくは互いに重なり合う一対の平面状被覆層４、４の間に挟むようにして設けられる。またこの導線群を交差させるステップＳ１０２においては、導線群３を一対の被覆層の間に各導線が織り成して複数の網目を有するようにする。
【００２８】
導線群３を配列するステップＳ１０２の後、電源回路２に電気的に接続するステップＳ１０４の前には、例えばパンチ加工により導線群３の網目体の一部を打ち抜くことにより、導線群３の網目体に複数の開口が形成される（ステップＳ１０３）。
【００２９】
このように導線群３の網目体に複数の開口３１、３１、・・・が形成されることにより、各導線群３の両端及び開口３１に臨む端部は放電端部とすることができるので、放電端部の数を増やすことができ、マイナスイオンを大量放出することができる。
【００３０】
なお、開口を形成するステップＳ１０３では、放電端部を増やすよう開口３１は幾何学的形状に形成されることができる。
【００３１】
この方法により、上記第１、４、５の実施例のマイナスイオン発生装置がつくられる。      
【００３２】
図８は、本発明の第２、３の実施例のマイナスイオン発生装置がつくられる方法を示すフローチャートである。
【００３３】
公知の制御系をそなえた高電圧電源回路２を用意する（ステップＳ２０１）。
【００３４】
そして、それぞれ先端５２が放電端部とする導線群５を、同一平面に並べて放射状に形成する（ステップＳ２０２）。
【００３５】
次いで、高電圧電源回路２を、導線群５に電気的に接続し、電源回路２により高電圧を印加して前記導線群５の各放電端部５２より電子を放出させる（ステップＳ２０４）。
【００３６】
導線群５を放射状に並べるステップＳ２０２では、導線群５が、電源回路２に接続されるよう各一端部５１が集束され、各他端部５２が放電端部として互いに隣接して扇形の放射状に設けられる（第２の実施例参照）。
【００３７】
また、導線群５を放射状に形成するステップＳ２０２では、導線群５は、電源回路２に接続されるようそれぞれの一端部５１を円心部となるよう互いに集束し、それぞれの他端部５２が放電端部として円心部の四方へ放射状に配列した円板体とする（第３の実施例参照）。
【００３８】
本発明のマイナスイオン発生装置によれば、設置箇所に応じて平面状の正方形や、扇形、円板体に形成されることができる。また、導線群３、５を覆う被覆層の材料も絶縁や、防水、透湿、防火などの目的に応じて適当に変更することができる。
【００３９】
本実施例のマイナスイオン発生装置及び方法によれば、マイナスイオンを大量発生させることができる平面状のマイナスイオン発生装置が得られ、エアクリーナ、マットレス、絨毯などさまざまな民生用品に用いられることができる。
【図面の簡単な説明】
【００４０】
【図１】本発明にかかる第１の実施例のマイナスイオン発生装置を概略示す平面図
【図２】図１のマイナスイオン発生装置の概略断面図
【図３】本発明にかかる第２の実施例のマイナスイオン発生装置を概略示す平面図
【図４】本発明にかかる第３の実施例のマイナスイオン発生装置を概略示す平面図
【図５】本発明にかかる第４の実施例のマイナスイオン発生装置の概略断面図
【図６】本発明にかかる第５の実施例のマイナスイオン発生装置の概略断面図
【図７】本発明にかかるマイナスイオン発生方法例を示すフローチャート
【図８】本発明にかかる他のマイナスイオン発生方法例を示すフローチャート
【図９】従来のマイナスイオン発生装置例の制御系を示す
【図１０】従来の他のマイナスイオン発生装置例を示す
【符号の説明】
【００４１】
１、１Ａ、１Ｂ・・・マイナスイオン発生装置
２・・・電源回路
２１・・・ケーブル
３、５・・・導線群
３１・・・開口
３２、５２・・・放電端部
４、７・・・被覆層
４１・・・層間
５１・・・端部
７０１・・・隙間
７１・・・表面部
７２・・・底面部
【図１】
2006278314.tif 000003
【図２】
2006278314.tif 000004
【図３】
2006278314.tif 000005
【図４】
2006278314.tif 000006
【図５】
2006278314.tif 000007
【図６】
2006278314.tif 000008
【図７】
2006278314.tif 000009
【図８】
2006278314.tif 000010
【図９】
2006278314.tif 000011
【図１０】
2006278314.tif 000012